(57)【要約】【課題】ボルトに装着されるプレス蝶ナットの緩み止めが簡単な構造で、容易に作製できるプレス蝶ナットの緩み止め装置を提供する。【解決手段】金属板をプレス加工して形成された蝶ナット体１であって、この蝶ナット体１は中央にボルト貫通孔３を有する凹状の胴部２と、その両側に突出する一対の羽片４ａ、４ａを有する翼部４とからなり、前記ボルト貫通孔３にボルト６の雄ネジ６ａが螺合する雌ネジ溝３ａを形成し、この雌ネジ溝３ａの加工開始の起点３ｂをいずれか一方の前記翼部４の位置に合致させ、前記胴部２の上方に前記ボルト６の前記雄ネジ６ａのピッチに整合するコイル部７ａのピッチを有するコイルバネ７を配置し、前記コイルバネ７の一方の端部７ｂを前記起点３ｂに合致する前記翼部４の前記羽片４ａ、４ａ間で挟持して固定端にするとともに、他方の端部を自由端にする。【選択図】図１
2016180506.tif 000002
【特許請求の範囲】
【請求項１】
金属板をプレス加工して形成された蝶ナット体であって、この蝶ナット体は中央にボルト貫通孔を有する凹状の胴部と、その両側に突出する一対の羽片を有する翼部とからなり、前記ボルト貫通孔にボルトの雄ネジが螺合する雌ネジ溝を形成し、この雌ネジ溝の加工開始の起点をいずれか一方の前記翼部の位置に合致させ、前記胴部の上方に前記ボルトの前記雄ネジのピッチに整合するコイル部のピッチを有するコイルバネを配置し、前記コイルバネの一方の端部を前記起点に合致する前記翼部の前記羽片間で挟持して固定端にするとともに、前記コイルバネの他方の端部を自由端にすることを特徴とするプレス蝶ナットの緩み止め装置。
【請求項２】
前記コイルバネの一方の前記端部を、前記コイル部の外周より外方の位置で前記コイル部の軸方向と平行に他方の前記端部側に向けて屈曲し、これを前記雌ネジ溝の前記起点と合致する前記翼部の前記羽片間に挿入して挟持し、さらに一方の前記端部の先端を前記胴部の底面に当接して前記コイルバネを片持支持することを特徴とする請求項１に記載のプレス蝶ナットの緩み止め装置。
【請求項３】
前記コイルバネの他方の前記端部は前記胴部の周縁より外方に非接触状態で突出させ、前記コイル部の軸方向と平行に一方の前記端部側に向かうように屈曲し、他方の前記翼部の近傍まで延出して先端を自由端にすることを特徴とする請求項２に記載のプレス蝶ナットの緩み止め装置。
【発明の詳細な説明】
【技術分野】
【０００１】  この発明は、金属板をプレス加工して形成されたプレス蝶ナットの緩みや外れを防止する緩み止め装置に関するものである。
【背景技術】
【０００２】  従来、ナットの緩みを防止するものとして、特許文献１のようにボルトの雄ネジ溝のピッチに整合するコイルバネをナットのバネ収容凹部に収容し、ボルトとナットとが螺合したときのボルトに対するナットの離脱方向への回転に伴いボルトの雄ネジ溝にコイルバネが密着し摩擦力を増加して回転を阻止し、ボルトにナットを一旦締結すればその締結を容易に外すことができないようにするものがある。
【先行技術文献】
【特許文献】
【０００３】
【特許文献１】特開２００３−３０７２１０号公報
【発明の概要】
【発明が解決しようとする課題】
【０００４】  解決しようとする問題点として、特許文献１による場合は、ナットにボルトの雄ネジ溝に密着するコイルバネを収納する凹部とか、コイルバネの折曲支持部の先端を嵌装保持する取付孔を設けることになり、これらの加工がナットに必要で、しかも、コイルバネの組み付けに手間がかかるなどの問題があった。【０００５】  この発明は、以上のようなことを考慮してなされたもので、ボルトがコイルバネに簡易に螺合され、長期間にわたって振動や外力等が作用することによるナットの緩みを確実に防止することができ、しかも、緩む止めのための加工が少なく製作が容易な緩み止めナットを提供することを目的とする。
【課題を解決するための手段】
【０００６】  前記課題を解決し、かつ目的を達成するために、この発明は、以下のように構成した。【０００７】  請求項１に記載の発明は、金属板をプレス加工して形成された蝶ナット体であって、この蝶ナット体は中央にボルト貫通孔を有する凹状の胴部と、その両側に突出する一対の羽片を有する翼部とからなり、前記ボルト貫通孔にボルトの雄ネジが螺合する雌ネジ溝を形成し、この雌ネジ溝の加工開始の起点をいずれか一方の前記翼部の位置に合致させ、前記胴部の上方に前記ボルトの前記雄ネジのピッチに整合するコイル部のピッチを有するコイルバネを配置し、前記コイルバネの一方の端部を前記起点に合致する前記翼部の前記羽片間で挟持して固定端にするとともに、前記コイルバネの他方の端部を自由端にすることを特徴とするプレス蝶ナットの緩み止め装置である。【０００８】  請求項２に記載の発明は、前記コイルバネの一方の前記端部を、前記コイル部の外周より外方の位置で前記コイル部の軸方向と平行に他方の前記端部側に向けて屈曲し、これを前記雌ネジ溝の前記起点と合致する前記翼部の前記羽片間に挿入して挟持し、さらに一方の前記端部の先端を前記胴部の底面に当接して前記コイルバネを片持支持することを特徴とする請求項１に記載のプレス蝶ナットの緩み止め装置である。【０００９】  請求項３に記載の発明は、前記コイルバネの他方の前記端部は前記胴部の周縁より外方に非接触状態で突出させ、前記コイル部の軸方向と平行に一方の前記端部側に向かうように屈曲し、他方の前記翼部の近傍まで延出して先端を自由端にすることを特徴とする請求項２に記載のプレス蝶ナットの緩み止め装置である。
【発明の効果】
【００１０】  前記構成により、この発明は、以下のような効果を有する。【００１１】  請求項１に記載の発明では、金属板をプレス加工して形成された蝶ナット体であって、この蝶ナット体は中央にボルト貫通孔を有する凹状の胴部と、その両側に突出する一対の羽片を有する翼部とからなり、前記ボルト貫通孔にボルトの雄ネジが螺合する雌ネジ溝を形成し、この雌ネジ溝の加工開始の起点をいずれか一方の前記翼部の位置に合致させ、前記胴部の上方に前記ボルトの前記雄ネジのピッチに整合するコイル部のピッチを有するコイルバネを配置し、前記コイルバネの一方の端部を前記起点に合致する前記翼部の前記羽片間で挟持して固定端にするとともに、前記コイルバネの他方の端部を自由端にするので、前記ボルトの振動などで、前記ボルトに螺合する前記蝶ナット体の緩みを確実に阻止でき、しかも、前記蝶ナット体の前記雌ネジ溝の加工開始の起点を前記翼部に合わせるだけで設定が簡単にでき、製作が容易で緩み止めの対策にかける費用を低減できる。【００１２】  請求項２に記載の発明では、前記コイルバネの一方の前記端部を、前記コイル部の外周より外方の位置で前記コイル部の軸方向と平行に他方の前記端部側に向けて屈曲し、これを前記雌ネジ溝の前記起点と合致する前記翼部の前記羽片間に挿入して挟持し、さらに一方の前記端部の先端を前記胴部の底面に当接して前記コイルバネを片持支持するので、前記翼部の前記羽片間で挟持される前記コイルバネの一方の前記端部の組付けが容易になり、前記コイルバネの一方の前記端部を前記羽片の全面で挟持され、しかも、一方の前記端部の先端が前記胴部の前記底面に当接することにより、片持支持が確実にでき、前記コイルバネが傾くことがなくボルトの螺合、離脱が円滑にできる。【００１３】  請求項３に記載の発明では、前記コイルバネの他方の前記端部は前記胴部の周縁より外方に非接触状態で突出させ、前記コイル部の軸方向と平行に一方の前記端部側に向かうように屈曲し、他方の前記翼部の近傍まで延出して先端を自由端にするので、前記コイルバネの他方の前記端部が前記蝶ナット体に伝わる振動によってコイルバネが動くことがなく、蝶ナットの緩みを確実に防止できる。
【図面の簡単な説明】
【００１４】
【図１】この発明のプレス蝶ナットの緩み止め装置における第１の実施形態を示す側面図。
【図２】この発明のプレス蝶ナットの緩み止め装置における第１の実施形態を示す平面図。
【図３】この発明におけるプレス蝶ナットの平面図。
【図４】この発明におけるボルトに対するプレス蝶ナットの回転動作状態を示すもので、（ａ）はプレス蝶ナットの締め付け方向への回転動作状態の断面図、（ｂ）はプレス蝶ナットの緩み方向への回転動作状態の断面図。
【図５】この発明のプレス蝶ナットの緩み止め装置における第２の実施形態を示す平面図。
【図６】図５のＡ−Ａ線による断面図。
【発明を実施するための形態】
【００１５】  以下、この発明のプレス蝶ナットの緩み止め装置の実施の形態について説明する。この発明の実施の形態は、発明の最も好ましい形態を示すものであり、この発明はこれに限定されない。
【００１６】  この発明の実施の形態を、図１および図４に基づいて説明する。図１はプレス蝶ナットの緩み止め装置を実施した一例を示すもので、符号１で示されるものはプレス蝶ナット体である。
【００１７】  前記プレス蝶ナット体１は、鋼板をプレス加工して形成され、中央に凹状の胴部２とその左右両側に一体絞り成形された翼部４とからなり、被締結部材Ｗに挿入するボルト６に螺合する。
【００１８】  前記翼部４は断面Ｕ字状に形成され、一対の羽片４ａ、４ａよりなるとともに、前記胴部２は底面２ａと周縁２ｂとを有し、前記底面２ａにはボルト貫通孔３を開口し、前記周縁２ｂは左右両側の前記羽片４ａ、４ａに連結する。
【００１９】  前記ボルト貫通孔３に前記ボルト６の雄ねじ６ａが螺合する雌ネジ溝３ａを形成し、この雌ネジ溝３ａの加工開始の起点３ｂを左右両側の前記翼部４のいずれか一方に合致させる。
【００２０】  前記胴部２の上方にコイルバネ７を配置し、このコイルバネ７は前記ボルト６の前記雄ネジ６ａのピッチに整合するコイル部７ａと、前記コイル部７ａの一方の端部７ｂと、前記コイル部７ａの他方の端部７ｃとを有する。一方の前記端部７ｂは、前記コイル部７ａの外周の外側でコイル部軸方向と平行に屈曲し、他方の前記端部７ｃは、前記コイル部７ａの外周より外側に延出する。前記コイル部７ａの一方の前記端部７ｂには、合成樹脂製よりなる断面円形状のスペーサー７１を被覆する。
【００２１】  前記コイル部７ａのコイル部軸方向と平行な一方の前記端部７ｂを前記起点３ｂに合致する前記翼部４の前記羽片４ａ、４ａ間に前記スペーサー７１を介して挿入し、前記羽片４ａ、４ａをカシメて、一方の前記端部７ｂを挟持して固定端とし、前記コイル部７ａの外周より外側に延出する他方の前記端部７ｃを自由端とする。
【００２２】  前記コイル部７ａの一方の前記端部７ｂの先端は、前記胴部２の前記底面２ａに当接させ、前記羽片４ａ、４ａの挟持とともに前記コイルバネ７が傾かないように片持支持し、前記ボルト６を前記蝶ナット体１から前記コイルバネ７まで螺合させる。
【００２３】  前記コイル部７ａの他方の前記端部７ｃは、前記胴部２の前記周縁２ｂより外方に非接触状態で突出させ、前記翼部４の近傍まで延出して先端を自由端にする。
なお、他方の前記端部７ｃは、前記周縁２ｂに開口（図示せず）を設け、この開口より前記翼部４の近傍まで延出してもよい。
【００２４】  前記被締結物Ｗを貫挿した前記ボルト６に対して、前記コイルバネ７が前記被締結物Ｗとは反対側に位置するようにして前記蝶ナット体１をネジ込む。
このとき、前記コイルバネ７の他方の前記端部７ｃと前記翼部４とを一緒に指で摘むことにより、前記コイルバネ７の前記コイル部７ａは、一方の前記端部７ｂを支点として外方へ広がり、前記ボルト６の前記雄ネジ６ａの谷に嵌った前記コイルバネ７の素線の摩擦力が軽減され、前記蝶ナット体１は前記ボルト６の前記雄ネジ６ａに円滑にネジ込まれる。
【００２５】  そして、前記コイルバネ７の他方の前記端部７ｃと前記翼部４との摘みを外すと、前記コイルバネ７の素線の弾性力により前記ボルト６の軸中心に向って押さえ付けられ、前記蝶ナット体１と一緒にネジ込まれた前記コイルバネ７は、図４（ａ）に示すように、前記ボルト６の前記雄ネジ６ａの谷に嵌り込む。
【００２６】  また、前記コイル部７ａの部分の長さを前記蝶ナット体１の前記雌ネジ溝３ａの部分の長さより長くしたので、この長い部分の前記コイル７の前記コイル部７ａと前記蝶ナット体１の前記雌ネジ溝３ａとが前記ボルト６の前記雄ネジ６ａへの螺合によって一体化しており、締結の際に前記蝶ナット体１がガタつくことがない。
【００２７】  そして、前記ボルト６の前記雄ネジ６ａに対し前記蝶ナット体１をナット離脱方向に回ろうとしても、前記翼部４の前記羽片４ａ、４ａに前記コイルバネ７の一方の前記端部７ｂが挟持されているため、内径方向に収縮する状態となるように前記コイルバネ７の素線が引っ張られて前記ボルト６の前記雄ネジ６ａを締め付け、強力な緩み止め状態にさせる。このため、前記コイルバネ７と一体となった前記蝶ナット体１は前記コイルバネ７の前記コイル部７ａで回転が阻止されて緩まなくなる。
【００２８】  前記蝶ナット体１を離脱するときには、他方の前記端部７ｃと前記翼部４とを一緒に指で摘まむと、前記コイルバネ７の前記コイル部７ａが外方へ広がり、図４（ｂ）に示すように、前記ボルト６の前記雄ネジ６ａの谷と、前記コイル部７ａとの密着を解除して摩擦が無くなり、あるいは軽減するなどで自由に回転を許容するようになるから、前記ボルト６の前記雄ネジ６ａを保護しながら簡単に前記蝶ナット体１を回転して前記ボルト６から離脱することができる。
【００２９】  次に、第２の実施の形態を、図５および図６に基づいて説明する。この実施の形態において第１の実施の形態と同じ構成は同一の符号を付して説明する。
【００３０】  この第２の実施の形態では、第１の実施の形態で説明している鋼板をプレス加工して形成された蝶ナット体１において、凹状の胴部８の周縁８ｂを六角形とし、これに、雌ネジ溝１０ａを形成した六角ナット１０を嵌合する。
【００３１】  前記前記六角ナット１０は、前記雌ネジ溝１０ａの加工開始の起点（図示せず）が前記蝶ナット体１の左右両側の前記翼部４のいずれか一方に合致するように嵌合される。
【００３２】  前記蝶ナット体１の前記胴部８の前記底面８ａに開口した前記ボルト貫通孔９よりボルト（図示せず）を挿通し、これを前記雌ネジ１０ａに螺合して前記蝶ナット体１が締結される。
【００３３】  前記蝶ナット体１の前記雌ネジ溝１０ａの部分の長さを長くでき、締結の際に前記蝶ナット体１がガタつくことがなく、しかも、安定した締結力を得ることができる。
なお、前記胴部８の前記周縁８ｂを六角形以外の四角形などにして、これに前記蝶ナット１を嵌合してもよい。
【００３４】  なお、前記六角ナット１０の上方に配置され、前記ボルトが螺合する前記コイルバネ７については、第１の実施の形態と同一なので説明を省略する。また、第１の実施で形態では、前記コイル部７ａの一方の前記端部７ｂに前記スペーサー７１を被覆するが、第２の実施の形態では、前記コイル部７ａの一方の前記端部７ｂを前記翼部４の前記羽片４ａ、４ａ間に前記スペーサー７１を介さないで挿入し、前記羽片４ａ、４ａをカシメて、一方の前記端部７ｂを挟持して固定端としている。
【００３５】  以上の構成におけるプレス蝶ナットの緩み止め装置では、前記蝶ナット体１の前記ボルト貫通孔３に形成した前記雌ネジ溝３ａの加工開始の前記起点３ｂを前記蝶ナット体１の前記翼部４に合致させるとともに、前記ボルト６の前記雄ネジ６ａに密着する前記コイルバネ７の一方の前記端部７ｂを前記蝶ナット体１の前記翼部４の前記羽片４ａ、４ａで挟持させることにより、前記ボルト６に対する前記蝶ナット体１の緩み止めが確実にでき、製作が容易で緩み止めの対策にかける費用を低減できる。
【００３６】  また、前記コイルバネ７の前記一端７ｂは前記翼部４の前記羽片４ａ、４ａの全長で挟持され、しかも、前記一端７ｂの先端を前記蝶ナット体１の前記胴部２の前記底面２ａに当接させ、前記コイルバネ７が傾かないように片持支持でき、前記ボルト６を前記蝶ナット体１の前記雌ネジ溝３ａから前記コイルバネ７まで円滑に螺合できる。
【００３７】  さらに、前記コイルバネ７の他方の前記端部７ｃは前記胴部２の前記周縁２ｂより外方に非接触状態で突出させ、前記翼部４の近傍まで延出して先端を自由端にするので、前記コイルバネ７の他方の前記端部７ｃが前記蝶ナット体１に伝わる振動によって前記コイルバネ７が動くことがなく、前記蝶ナット体１の緩みを確実に防止できる。
【００３８】  この第１または第２の実施の形態では、前記翼部４の前記羽片４ａ、４ａで挟持された一方の前記端部７ｂが破損したり、変形されることなく自由に緩み止めを解除することができるために、何回でも使用することができる。
【産業上の利用可能性】
【００３９】  この発明は、ボルトに装着されるプレス蝶ナットの振動等による緩み止めが簡単な構造で、容易に作製できるプレス蝶ナットの緩み止め装置である。
【符号の説明】
【００４０】１      蝶ナット体
２      凹状の胴部
２ａ    底面
２ｂ    周縁
３      ボルト貫通孔
３ａ    雌ネジ溝
３ｂ    加工開始の起点
４      翼部
４ａ    羽片
６      ボルト
６ａ    雄ねじ
７      コイルバネ
７ａ    コイル部
７ｂ    一方の端部（固定端）
７ｃ    他方の端部（自由端）
７１    スペーサー
８      胴部
８ａ    底面
８ｂ    周縁
９      ボルト貫通孔
１０    六角ナット
１０ａ  雌ネジ溝
Ｗ      被締結部材
【図１】
2016180506.tif 000003
【図２】
2016180506.tif 000004
【図３】
2016180506.tif 000005
【図４】
2016180506.tif 000006
【図５】
2016180506.tif 000007
【図６】
2016180506.tif 000008
【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
金属板をプレス加工して形成された蝶ナット体であって、この蝶ナット体は中央にボルト貫通孔を有する凹状の胴部と、その両側に突出する一対の羽片を有する翼部とからなり、前記ボルト貫通孔にボルトの雄ネジが螺合する雌ネジ溝を形成し、この雌ネジ溝の加工開始の起点をいずれか一方の前記翼部の位置に合致させ、前記胴部の上方に前記ボルトの前記雄ネジのピッチに整合するコイル部のピッチを有するコイルバネを配置し、前記コイルバネの一方の前記端部を前記雌ネジの前記起点に合致する前記翼部の前記羽片間で挟持して固定端にするとともに、前記コイルバネの他方の端部を自由端にし、前記コイルバネの他方の前記端部より一方の前記端部まで前記ボルトの前記雄ネジを螺合可能にしてなることを特徴とするプレス蝶ナットの緩み止め装置。
【請求項２】
前記コイルバネの一方の前記端部を、前記コイル部の外周より外方の位置で前記コイル部の軸方向と平行に他方の前記端部側に向けて屈曲し、これを前記雌ネジ溝の前記起点と合致する前記翼部の前記羽片間に挿入して挟持し、さらに一方の前記端部の先端を前記胴部の底面に当接して前記コイルバネを片持支持し、前記蝶ナット体の前記胴部と、前記コイルバネの他方の前記端部との間に間隔を設け、前記コイルバネの他方の前記端部を前記胴部の上側において非接触状態で外方に突出させ、前記コイル部の軸方向と平行に一方の前記端部側に向かうように屈曲し、他方の前記翼部の近傍まで延出して先端を自由端にすることを特徴とする請求項１に記載のプレス蝶ナットの緩み止め装置。
【手続補正２】
【補正対象書類名】明細書
【補正対象項目名】０００７
【補正方法】変更
【補正の内容】
【０００７】  請求項１に記載の発明は、金属板をプレス加工して形成された蝶ナット体であって、この蝶ナット体は中央にボルト貫通孔を有する凹状の胴部と、その両側に突出する一対の羽片を有する翼部とからなり、前記ボルト貫通孔にボルトの雄ネジが螺合する雌ネジ溝を形成し、この雌ネジ溝の加工開始の起点をいずれか一方の前記翼部の位置に合致させ、前記胴部の上方に前記ボルトの前記雄ネジのピッチに整合するコイル部のピッチを有するコイルバネを配置し、前記コイルバネの一方の前記端部を前記雌ネジの前記起点に合致する前記翼部の前記羽片間で挟持して固定端にするとともに、前記コイルバネの他方の前記端部を自由端にし、前記コイルバネの他方の前記端部より一方の前記端部まで前記ボルトの前記雄ネジを螺合可能にしてなることを特徴とするプレス蝶ナットの緩み止め装置である。
【手続補正３】
【補正対象書類名】明細書
【補正対象項目名】０００８
【補正方法】変更
【補正の内容】
【０００８】  請求項２に記載の発明は、前記コイルバネの一方の前記端部を、前記コイル部の外周より外方の位置で前記コイル部の軸方向と平行に他方の前記端部側に向けて屈曲し、これを前記雌ネジ溝の前記起点と合致する前記翼部の前記羽片間に挿入して挟持し、さらに一方の前記端部の先端を前記胴部の底面に当接して前記コイルバネを片持支持し、前記蝶ナット体の前記胴部と、前記コイルバネの他方の前記端部との間に間隔を設け、前記コイルバネの他方の前記端部を前記胴部の上方において非接触状態で外方に突出させ、前記コイル部の軸方向と平行に一方の前記端部側に向かうように屈曲し、他方の前記翼部の近傍まで延出して先端を自由端にすることを特徴とする請求項１に記載のプレス蝶ナットの緩み止め装置である。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】  請求項１に記載の発明では、金属板をプレス加工して形成された蝶ナット体であって、この蝶ナット体は中央にボルト貫通孔を有する凹状の胴部と、その両側に突出する一対の羽片を有する翼部とからなり、前記ボルト貫通孔にボルトの雄ネジが螺合する雌ネジ溝を形成し、この雌ネジ溝の加工開始の起点をいずれか一方の前記翼部の位置に合致させ、前記胴部の上方に前記ボルトの前記雄ネジのピッチに整合するコイル部のピッチを有するコイルバネを配置し、前記コイルバネの一方の前記端部を前記雌ネジの前記起点に合致する前記翼部の前記羽片間で挟持して固定端にするとともに、前記コイルバネの他方の前記端部を自由端にし、前記コイルバネの他方の前記端部より一方の前記端部まで前記ボルトの前記雄ネジを螺合可能にしてなるので、前記コイルバネに対する前記ボルトのネジ込の途中で前記コイルバネのピッチが狭くなることがなく、前記コイルバネの前記コイル部の一端より他端までの全長が前記ボルトの前記雄ネジにネジ込まれることになり、これにより、前記ボルトに螺合した前記蝶ナット体の離脱方向への回転に対し、前記ボルトの前記雄ネジに前記コイルバネの前記コイル部が密着して前記蝶ナット体の回転を阻止し、前記ボルトの振動などで、前記ボルトに螺合する前記蝶ナット体の緩みを確実に防止でき、しかも、前記蝶ナット体の前記雌ネジ溝の加工開始の前記起点が前記翼部にあることを目安にして、前記コイルバネの一方の前記端部を前記雌ネジ溝の加工開始の前記起点に一致させることが簡単にでき、前記蝶ナット体に対して前記コイルバネの設置が容易になり、さらに、スペースの少ないプレス蝶ナットでも、前記コイルバネの一方の前記端部を前記雌ネジ溝の加工開始の前記起点の合致する前記蝶ナット体の前記翼部の前記羽片間で挟持させれば、蝶ナットのデッドスペースを有効活用でき、コンパクトなプレス蝶ナットの緩み止め装置を得ることになる。
【手続補正６】
【補正対象書類名】明細書
【補正対象項目名】００１２
【補正方法】変更
【補正の内容】
【００１２】  請求項２に記載の発明では、前記コイルバネの一方の前記端部を、前記コイル部の外周より外方の位置で前記コイル部の軸方向と平行に他方の前記端部側に向けて屈曲し、これを前記雌ネジ溝の前記起点と合致する前記翼部の前記羽片間に挿入して挟持し、さらに一方の前記端部の先端を前記胴部の底面に当接して前記コイルバネを片持支持し、前記蝶ナット体の前記胴部の上方と、前記コイルバネの他方の前記端部との間に間隔を設け、前記コイルバネの他方の前記端部を前記胴部の上方において非接触状態で外方に突出させ、前記コイル部の軸方向と平行に一方の前記端部側に向かうように屈曲し、他方の前記翼部の近傍まで延出して先端を自由端にするので、前記コイルバネを囲むような胴部や、前記コイルバネの他方の前記端部を延出させるために胴部を切欠く必要がなく、前記コイルバネの他方の前記端部側は前記胴部の上方において非接触状態になり、前記コイルバネの他方の前記端部に振動が伝わることがなく、前記ボルトの前記雄ネジに対するコイルバネのコイル部の密着が緩むことを確実に防止できる。
【手続補正７】
【補正対象書類名】明細書
【補正対象項目名】００１３
【補正方法】削除
【補正の内容】